(57)【要約】      （修正有）【課題】非作業時である格納時に分解作業をせず、保管場所を省スペースとした穀粒ホッパを提供する。【解決手段】直方体形状に枠組みしたホッパフレーム１の内側に上部が開口し、穀物を貯留可能とする可撓性を有したホッパ２を設け、このホッパ２の下部には穀物を排出するための排出駆動手段３を具備してなる穀粒ホッパにおいて、前記ホッパフレーム１を非作業時である格納時に側面巾を縮小するべく折り畳み可能とし、穀物を貯留可能とする作業時にはホッパフレーム１を展開し直方体形状に固定保持するロック手段５を備えたことにより、折り畳むことにより巾寸法を縮小させることができる。【選択図】      図２
2004250024.tif 000002
【特許請求の範囲】
【請求項１】
直方体形状に枠組みしたホッパフレームの内側に上部が開口し、穀物を貯留可能とする可撓性を有したホッパを設け、このホッパの下部には穀物を排出するための排出駆動手段を具備してなる穀粒ホッパにおいて、前記ホッパフレームを非作業時である格納時に側面巾を縮小するべく折り畳み可能とし、穀物を貯留可能とする作業時にはホッパフレームを展開し直方体形状に固定保持するロック手段を備えたことを特徴とした穀粒ホッパ。
【請求項２】
前記ホッパフレームは、長手方向略中央部に垂設する垂直フレームに対し、長手方向に縮小するべく折り畳み可能とした請求項１記載の穀粒ホッパ。
【発明の詳細な説明】
【０００１】
【発明の属する技術分野】
本発明は、走行車の荷台に載置して穀物を搬送する穀粒ホッパの格納時の保管方法の改善に関する。
【０００２】
【従来の技術】
従来の技術として、スタンドの支軸にて軸支されたホッパ本体を水平作業位置から支軸を中心に反転倒立させ、ピンを抜き差しする固定手段にて固定し、ホッパ本体格納時の側面巾寸法を縮小させる構成が本出願人により提案されている。（特許文献１）
【０００３】
又、穀物を貯留するホッパを袋状とした構成の穀粒ホッパも公知である。（特許文献２）
【０００４】
【特許文献１】
特許第２９１９７８５号明細書
【特許文献２】
特開２０００−１９１０８４号公報
【０００５】
【発明が解決とようとする課題】
前述の従来技術によれば、ホッパ本体は収獲された穀物を貯留し、搬送するための水平とした作業位置から格納時にホッパ本体の側面巾寸法を縮小させるためのスタンドの支軸にて軸支しホッパ本体を支軸を中心に、反転倒立させ固定手段であるピンを抜き差しして固定しなければならず、反転動作途中に手を離すとホッパ本体が自重で回転し作業者に倒れかかりケガをする危険性がある。
【０００６】
後述の従来技術では、穀物を貯留し搬送作業をするため袋状のホッパをホッパフレームにわざわざ組付けしなくてはならず、又、非作業時である格納時に組付けたままで保管するには保管場所を大きくとり、省スペースで保管するために分解しなくてはならず煩わしさがあった。
【０００７】
そこで本発明は、非作業時である格納時に分解作業をせず、保管場所を省スペースとした穀粒ホッパを提供するものである。
【０００８】
【課題を解決するための手段】
上記課題を解決するために、直方体形状に枠組みしたホッパフレームの内側に上部が開口し、穀物を貯留可能とする可撓性を有したホッパを設け、このホッパの下部には穀物を排出するための排出駆動手段を具備してなる穀粒ホッパにおいて、前記ホッパフレームを非作業時である格納時に側面巾を縮小するべく折り畳み可能とし、穀物を貯留可能とする作業時にはホッパフレームを展開し直方体形状に固定保持するロック手段を備えたことにより、折り畳むことにより巾寸法を縮小させることができ、反転動作をしなくてもよいので安全性が向上する。
【０００９】
又、前記ホッパフレームは、長手方向略中央部に垂設する垂直フレームに対し、長手方向に縮小するべく折り畳み可能としたことにより、分解作業を必要とせず簡単な構成でホッパフレームを折り畳むことができるため、省スペースで保管可能となる。
【００１０】
【発明の実施の形態】
以下、本発明の実施の形態を図面に基づいて説明する。図１は本発明を実施した穀粒ホッパの側面図、図２は穀粒ホッパの斜視図、図３はロック手段の斜視図、図４は穀粒ホッパの折り畳み時の側面図である。
【００１１】
図１，図２において、Ａは穀粒ホッパで、直方体形状に枠組みされ折り畳み機構を有したホッパフレーム１と、このホッパフレーム１の上面枠に投入開口部を形成するよう支持された袋状のホッパ２と、ホッパフレーム１内の下部に設けられ前記ホッパ２の下方開口部が連結されホッパ２内に貯留した穀物を排出する排出駆動手段３から構成され、この穀粒ホッパＡは走行車の荷台に載置可能で、圃場で収獲された穀物を貯留し乾燥施設や貯蔵庫まで搬送し、排出駆動手段３に備えた排出口３４より穀物を排出するものである。
【００１２】
排出口３４を設けた側面を後面ａとし、この後面ａに対向する側面を前面ｂ、そして前後面を結び長手となる側面を左側面ｃ及び右側面ｄとする。左側面ｃ及び右側面ｄにはそれぞれ一対のスタンド４，４を設けてある。５はロック手段である。
【００１３】
１のホッパフレームは、左側面ｃ及び右側面ｄの長手方向略中央部に垂設する垂直フレーム１１と、この垂直フレーム１１の上部には一端を連結し長手方向前後に向けた上部連結フレーム１２と、前記垂直フレーム１１の下部には一端を連結し長手方向前後に向けた下部連結フレーム１３と、後面ａ及び前面ｂには前記上部連結フレーム１２と下部連結フレーム１３の他端にて連結される前後面フレーム１４，１４とを有し直方体形状を構成する。
【００１４】
ホッパフレーム１は、前記垂直フレーム１１の垂直軸心を中心とし、図１に示すよう側面視にて対称であり各連絡部は回動自在に連結してあり、垂直フレーム１１，１１を基部に前後面フレーム１４，１４を折り畳み可能としている。垂直フレーム１１，１１には内方に向け連結孔１６ａを開口したボス１６，１６が設けてあり、このボス１６，１６にスタンド４，４が着脱自在に装着される。
【００１５】
２のホッパは、可撓性を有する合成繊維布地などで上端部に投入口を大きく開口し、下方に向け徐々に開口面積を小さくし、下端部に排出連結口を開口した袋状に形成してある。ホッパ２の上端部に開口した投入口の縁部は、布地を折り返し縫い合わせて形成した円筒部を有する。
【００１６】
この円筒部には、前記ホッパフレーム１を形成する前後面フレーム１４の上方の水平枠１４ｂと上部連結フレーム１２により形成される上面枠が挿通され、矩形状の投入開口部を形成し、ホッパ２をホッパフレーム１の上部で支持し内側に吊設する。
【００１７】
排出駆動手段３は、支持台３１上に前面ｂ側から排出駆動する排出駆動モータ３２、次ぎに上部に開口部を有し摺動自在としたシャッタ３３を備え、後面ａ側に排出口３４を備えた排出枠３５から構成され、ホッパフレーム１の左右側面に設けた垂直フレーム１１，１１の下部を連結する下部水平フレーム１５の略中央部枠内に配置される。
【００１８】
排出枠３５の上部開口部には、前記ホッパ２の下端部に開口した排出連結部が連結され、シャッタ３３を閉じた状態でホッパ２内に収獲された穀物を貯留することが可能となる。
【００１９】
又、図示されていないが、排出口３４には搬送ホースが連結され、ホッパ２内に貯留した穀物をシャッタ３３を開くことにより排出枠３５へ落下させ、排出駆動モータ３２により連結された搬送ホースが駆動され、穀物は搬送ホースを通過し乾燥施設や貯蔵庫へ搬送排出される。
【００２０】
スタンド４，４は同一構成であるので、一方のスタンド４について説明する。スタンド４は、水平方向前後に延びる水平支持パイプ４１と水平支持パイプ４１の両端にキャスタ４２，４２を設け、水平支持パイプ４１の略中央部より上方に向け垂設した垂直支持パイプ４３により逆Ｔ字形に形成されている。垂直支持パイプ４３はインナパイプ４３ａとアウタパイプ４３ｂが嵌合し、上部に備えたハンドル４４を正逆転させることにより、インナパイプ４３ａとアウタパイプ４３ｂが摺動し伸縮自在としてある。
【００２１】
アウタパイプ４３ｂの上部側面から前記水平支持パイプ４１に対し直交する水平方向に向けた支軸４５が突設し、前記ホッパフレーム１の両側面に垂設した垂直フレーム１１，１１に有するボス１６，１６の連結孔１６ａに嵌挿され、穀粒ホッパＡの両側面を軸支する。支軸４５の先端部には支軸４５の軸方向に対し直交する貫通孔が開口し、さらにボス１６の内方端部に連結孔１６ａの開口方向に対し直交する貫通孔が開口しており、前記スタンド４の支軸４５に開口した貫通孔とボス１６に開口した貫通孔を一致させ、ストッパピン４６を挿通し穀粒ホッパＡとスタンド４，４を連結する。
【００２２】
又，スタンド４，４にて軸支された穀粒ホッパＡは、スタンド４，４に備えたハンドル４４，４４を正逆転させることにより上下動し、走行車の荷台に載置した状態から浮上させたり、載置したりすることができる。
【００２３】
以下、ホッパフレーム１の折り畳み構成について説明するが、ホッパフレーム１は側面視にて対称であるため前面ｂ側にて説明する。前記垂直フレーム１１の上方には連結孔を開口したブラケット１１ａと、下方には連結孔を開口したブラケット１１ｂが設けてある。前記上部連結フレーム１２の一端に設けられるブラケット１２ａには連結孔が開口され、前記垂直フレーム１１の上方に設けたブラケット１１ａの連結孔とブラケット１２ａに開口した連結孔とを一致させ、回動ピンｐを挿通し上下回動自在に軸支する。
【００２４】
前記下部連結フレーム１３の一端に設けられるブラケット１３ａには連結孔が開口され、前記垂直フレーム１１の下方に設けたブラケット１１ｂの連結孔とブラケット１３ａに開口した連結孔とを一致させ回動ピンｐを挿通し上下回動自在に軸支する。
【００２５】
図２に示すように、前後面フレーム１４は左右に垂直枠１４ａ，１４ａを設けるとともに、上下に水平枠１４ｂ，１４ｂを設け四角形の枠体を形成している。この垂直枠１４ａ，１４ａには連結孔を有したブラケット１４ｃが四角形の枠体の四隅に設けられている。そして、前記上部連結フレーム１２の他端に設けられたブラケット１２ｂには連結孔が開口し、前記下部連結フレーム１３の他端に設けられたブラケット１３ｂには連結孔が開口し、ブラケット１４ｃの連結孔とブラケット１２ｂ及びブラケット１３ｂの連結孔を一致させ、回動ピンｐを挿通し上下回動自在に軸支する。
【００２６】
このように構成することにより、ホッパフレーム１はスタンド４にて支持される垂直フレーム１１を基部とし、上部連結フレーム１２及び下部連結フレーム１３にて回動自在に連結される前後面フレーム１４，１４は、上部連結フレーム１２及び下部連結フレーム１３により平行リンク体を構成し、前後面フレーム１４，１４を回動させ長手方向前後巾を図４に示すように縮小させることができる。
【００２７】
折り畳み時ホッパ２は、可撓性を有する合成繊維などの布地で構成されているため撓み、折り畳み動作の妨げにはならない。又、折り畳み時から展開状態を固定保持するためのロック手段５が、前記ホッパフレーム１の垂直フレーム１１と下部連結フレーム１３の連結部に設けられている。
【００２８】
図３に基づいてロック手段５について説明するが、ロック手段５は、前記ホッパフレーム１の垂直フレーム１１と下部連結フレーム１３の連結部である４ヶ所に設けてあり同一構成であるので、１ヶ所のロック手段５について説明する。５１はロックプレートで下部連結フレーム１３の一端に設けたブラケット１３ａに上下回動自在に軸支され、引張バネ５２により下方へ常に付勢されている。
【００２９】
垂直フレーム１１の下部に設けたブラケット１１ｂには係合ピン５３が設けられ、ロックプレート５１に設けた切欠き部５１ａが係合されることにより、ホッパフレーム１を展開し直方体形状に固定保持することが可能となる。
【００３０】
ロック動作は、前後面フレームを持ち上げ回動させていくとロックプレート５１が係合ピン５３を乗り越え、切欠き部５１ａが係合ピン５３と係合する。この時、ロックプレート５１は引張バネ５２により下方へ付勢されているので係合がはずれることはない。
【００３１】
又、ロック解除動作はロックプレート５１に設けたレバー５１ｂを下方に回動させることにより、係合ピン５３とロックプレート５１との係合は解除され、前後面フレーム１４は下方へ回動する。そして、下部連結フレーム１３の他端部上面に突設したストッパプレート５４が前後面フレーム１４の垂直枠１４ａの対向面と当接し、前後面フレーム１４はこれ以上下方へは回動せず折り畳み状態を保持している。
【００３２】
【発明の効果】
以上のように構成することにより、ホッパフレームを折り畳むことにより巾寸法を縮小させることができ、反転動作をしなくてもよいので安全性が向上する。又、分解作業を必要とせず簡単な構成でホッパフレームを折り畳むことができるため、省スペースで保管可能となる。
【図面の簡単な説明】
【図１】穀粒ホッパの側面図
【図２】穀粒ホッパの斜視図
【図３】ロック手段の斜視図
【図４】穀粒ホッパの折り畳み時の側面図
【符号の説明】
１      ホッパフレーム
１１    垂直フレーム
１１ａ，１１ｂ    ブラケット
１２    上部連結フレーム
１２ａ，１２ｂ    ブラケット
１３    下部連結フレーム
１３ａ，１３ｂ    ブラケット
１４    前後面フレーム
１４ａ  垂直枠
１４ｂ  水平枠
１４ｃ  ブラケット
１５    下部水平フレーム
１６    ボス
１６ａ  連結孔
２      ホッパ
３      排出駆動手段
３１    支持台
３２    排出駆動モータ
３３    シャッタ
３４    排出口
３５    排出枠
４      スタンド
４１    水平支持パイプ
４２    キャスタ
４３    垂直支持パイプ
４３ａ  インナパイプ
４３ｂ  アウタパイプ
４４    ハンドル
４５    支軸
４６    ストッパピン
５      ロック手段
５１    ロックプレート
５１ａ  切欠き部
５１ｂ  レバー
５２    引張バネ
５３    係合ピン
５４    ストッパプレート
Ａ      穀粒ホッパ
ｐ      回動ピン
【図１】
2004250024.tif 000003
【図２】
2004250024.tif 000004
【図３】
2004250024.tif 000005
【図４】
2004250024.tif 000006